(57)【要約】【課題】タブレット端末とスマートフォンを同時に使用できる、スマートフォンホルダー付のタブレットホルダーを実現する。【解決手段】タブレットの載置台にスマートフォンホルダーを回転可能に軸支する。【選択図】図１
2016042684.tif 000002
【特許請求の範囲】
【請求項１】
中央部に十字形のガイド溝を有する十字形の載置台を特徴とするタブレットホルダーにおいて、ガイド溝上部に設置した取付ネジに、スマートフォンホルダーが載置台の側面から上方に９０度回動するように軸支し、スマートフォンホルダーの上面を載置台の上面よりも高くなく設定した事を特徴とするスマートフォンホルダー付タブレットホルダー。
【発明の詳細な説明】
【技術分野】
【０００１】本発明は、タブレットとスマートフォンを同時に使用できるスマートフォンホルダーが付いたタブレットホルダーに関する。
【背景技術】
【０００２】スマートフォンは、通信手段に留まらず、タブレット端末とほぼ同様の機能をそなえており、スマートフォンと、タブレットを同時に使用できるようにする事によって、たとえば、資料を見ながら文章を作成する時等の作業能率の大幅な向上が期待される。
【先行技術文献】
【特許文献】
【０００３】
【特許文献】該当なし
【０００４】
【非特許文献】
【非特許文献】該当なし
【発明の概要】
【発明が解決しようとする課題】
【０００５】  本発明は、タブレットを搭載する載置台に、スマートフォンホルダーを設置するもので、タブレットと、スマートフォンが互いに干渉せず同時に使用できる課題を解決するものである。
【課題を解決するための手段】
【０００６】  本発明に使用されるタブレットホルダーは、本人出願人による、特願２０１４−１５０２１５「タブレットホルダー」に記載されたような、中央にガイド溝を有する十字形の載置台を主な対象とし、タブレットをガイド溝の四方に配置されたフックによって押える構成を有している。【０００７】  タブレットホルダーの十字形の載置台のガイド溝の中央上部には、スマートフォンホルダーを取付ける取付穴が形成され、取付ネジによってスマートフォンホルダーが回転可能に軸支される。【０００８】  スマートフォンホルダーの上面の高さは、タブレットの載置台の上面と同じか、それより若干低く設定される。
【発明の効果】
【０００９】  上記の手段により、取付ネジの回りに回転するスマートフォンホルダーは、載置台の側面から載置台の上方に９０度回転し、従ってスマートフォンホルダーに取り付けられたスマートフォンの姿勢は、縦置きから横置きに回転する。
スマートフォンは、縦置きでも横置くきも使用できる事を特長としており、本発明は、この特長を損なうことなく、かつ、スマートフォンホルダーと干渉せずに載置台上のタブレットの着脱が出来る効果を有するものである。
【図面の簡単な説明】
【００１０】
【図１】タブレットとスマートフォンを搭載した平面図
【図２】Ａ−Ａ断面図
【図３】スマートフォンホルダー付タブレットホルダーの平面図
【図４】Ｃ−Ｃ断面図
【図５】開閉式フックの平面図
【図６】開閉式フックの正面図
【図７】Ｂ−Ｂ断面図
【図８】固定挟持板平面図
【図９】固定挟持板正面図
【図１０】Ｄ−Ｄ断面図
【図１１】スライド挟持板平面図
【図１２】スライド挟持板正面図
【実施例】
【００１１】  以下、本発明によるスマートフォンホルダー付タブレットホルダーを実施例により説明する。
【産業上の利用可能性】
【００１２】  スマートフォンは、電話機能のみならず、タブレット端末と同様の機能を有するように進化しており、二つの画面を同時に使用することが出来る事により、作業効率等の向上が期待される。
【発明を実施するための形態】
【００１３】  ［図１］は、タブレット１およびスマートフォン２５を搭載したスマートフォンホルダー付タブレットホルダーの平面図、［図２］は、そのＡ−Ａ断面図である。
［図２］のＡ−Ａ断面図は、開閉式フック３のフック４により、タブレット１の左右を押えている状態を示している。
載置台の裏面には、スタンド等に接続するためのジョイント２０が設置されている。
［図３］は、スマートフォンホルダー付タブレットホルダーの平面図で、タブレットホルダー２が、十字形のガイド溝５を有する載置台６とガイド溝をスライドする開閉式フック３により構成されている図を示している。
【００１４】  ［図４］は開閉式フック３のＣ−Ｃ断面図で、フック４が閉じている状態を図示しており、フックが閉じた開閉式フック３の厚さは、ガイド溝５の溝の深さと同一に設定されており、それゆえ、フックが閉じた状態では、開閉式フックの上面と、載置台６の上面は同じ高さの平面を形成し、タブレットを上方に持ち上げることなく、載置台の面上をスライドさせて着脱することが可能である。
開閉式フック３は、裏面に突出した取付ネジ８が成型されており、載置台のガイド溝５の長溝７に通して、ナット９により摺動可能に装着される。
【００１５】  ［図５］は、開閉式フックの平面図、［図６］は、開閉式フックの正面図である。［図６］に示すように、フック４は、二点鎖線のように、鋭角に開閉する構成を有している。
【００１６】  ［図７］Ｂ−Ｂ断面図は、スマートフォンホルダーをタブレットホルダーの載置台に設置した構成部の断面図である。
スマートフォンホルダー２１は、固定挟持板２３とスライド挟持板２４によりスマートフォン２５を挟持する構成に成る。
【００１７】  固定挟持板２３の構造は、［図８］固定挟持板平面図、［図９］固定挟持板正面図、［１０］Ｄ−Ｄ断面図により図示されている。
固定挟持板の上部には挟持フック３０が形成され、端部には載置台に取付けるための取付孔２６を有する取付部２７が形成され、固定挟持板のベース２８の中央には長溝２９が形成されている。
【００１８】  スライド挟持板２４の構造は、［図１１］スライド挟持板平面図、［図１２］スライド挟持板正面図により図示されている。
スライド挟持板は上部に挟持フック３１が形成され、スライド挟持板のベース３２の裏面には取付ネジ３３が成型されている。
【００１９】  ［図７］のＢ−Ｂ断面図で示すように、スライド挟持板２４の取付ネジ３３は、固定挟持板２３の長溝２９に通し、ナット３４で締める構成に成る。
スライド挟持板２４が開閉する状態を二点鎖線で現わしている。
挟持フック３１、挟持フック３２の内側には、滑り止めのクッション３６が貼り付けられている。
【００２０】  上記の固定挟持板２３とスライド挟持板２４により構成されたスマートフォンホルダー２１は、載置台上部のガイド溝に設置された取付ネジ２２が固定挟持板の取付孔２６に通され、載置台６の裏面にナット３５で締め付けて回転可能に取付けられている。
【００２１】  上記の構成になるスマートフォンホルダーの上面は、タブレットホルダーの載置台の上面よりも低く設定されており、従って、スマートフォンホルダーと干渉することなくタブレットを載置台に着脱することを可能にしている。
［図１］には、載置台６に取付ネジ２２によって軸支された、スマートフォンホルダー２１の平面図が示されている。
スマートフォンホルダー２１に、縦に挟持されたスマートフォン２５は、取付ネジ２２を軸として９０度回転し、二点鎖線で示すように、横向きに移動する事を示している。
ストッパー３７は、スマートフォンホルダーが９０度以上の回転をしないようにするためのものである。
【符号の説明】
【００２２】  １  タブレット
２  タブレットホルダー
３  開閉式フック
４  フック
５  ガイド溝
６  載置台
７  長溝
８  取付ネジ
９  ナット
２０  ジョイント
２１  スマートフォンホルダー
２２  取付ネジ
２３  固定挟持板
２４  スライド挟持板
２５  スマートフォン
２６  取付孔
２７  取付部
２８  固定挟持板のベース
２９  長溝
３０  挟持フック
３１  挟持フック
３２  スライド挟持板のベース
３３  取付ネジ
３４  ナット
３５  ナット
３６  クッション
３７  ストッパー
【図１】
2016042684.tif 000003
【図２】
2016042684.tif 000004
【図３】
2016042684.tif 000005
【図４】
2016042684.tif 000006
【図５】
2016042684.tif 000007
【図６】
2016042684.tif 000008
【図７】
2016042684.tif 000009
【図８】
2016042684.tif 000010
【図９】
2016042684.tif 000011
【図１０】
2016042684.tif 000012
【図１１】
2016042684.tif 000013
【図１２】
2016042684.tif 000014